(57)【要約】【課題】本発明は、初期導入時は最小構成かつ安価なシステム構築が可能で、視聴者が自らの操作でコンテンツを割り込み再生することが可能なデジタルサイネージ再生装置およびデジタルサイネージ再生装置の制御方法の提供を目的とする。【解決手段】デジタルサイネージ再生装置１００は、読み取り装置１０６から識別子の入力を受け付ける識別子入力部１と、複数のコンテンツを記憶するコンテンツ記憶部２と、コンテンツを再生する再生部３と、再生部３が再生した映像信号又は音声信号を出力する出力部４と、制御部５と、を備え、制御部５は、識別子入力部１に識別子の入力が無い状態において、予め定められたコンテンツの再生を行うように再生部３を制御し、制御部５は、識別子入力部１に識別子が入力されると、現時点で再生しているコンテンツの再生を中断させて、識別子に関連付けられたコンテンツの再生を行うように再生部３を制御する。【選択図】図１
2017188824.tif 000002
【特許請求の範囲】
【請求項１】
読み取り装置からサイネージ対象物を識別する識別子の入力を受け付ける識別子入力部と、
複数のコンテンツを記憶するコンテンツ記憶部と、
前記コンテンツを再生する再生部と、
再生部が再生した映像信号又は音声信号を出力する出力部と、
制御部と、
を備え、
前記制御部は、前記識別子入力部に前記識別子の入力が無い状態において、予め定められた前記コンテンツの再生を行うように前記再生部を制御し、
前記制御部は、前記識別子入力部に前記識別子が入力されると、現時点で再生している前記コンテンツの再生を中断させて、前記識別子に関連付けられた前記コンテンツの再生を行うように前記再生部を制御する、
デジタルサイネージ再生装置。
【請求項２】
前記制御部は、前記識別子入力部に前記識別子が入力されると、現時点で再生している前記コンテンツの再生を中断させて、前記識別子に関連付けられた前記コンテンツを再生した後、再生を中断していた前記コンテンツの再生を再開させるように前記再生部を制御する、
請求項１に記載のデジタルサイネージ再生装置。
【請求項３】
再生履歴記憶部をさらに備え、
前記制御部は、前記識別子入力部に入力された前記識別子および前記識別子に関連付けられた前記コンテンツが再生された日時を前記再生履歴記憶部に記憶させる、
請求項１又は請求項２に記載のデジタルサイネージ再生装置。
【請求項４】
前記制御部は前記再生履歴記憶部に記憶されている情報に基づいて、前記識別子毎に前記識別子に関連付けられた前記コンテンツが再生された再生回数を集計し、
前記制御部は、前記再生回数の多い順に、前記識別子に関連付けられた前記コンテンツのサムネイルを並べて表示させるように、前記出力部に前記映像信号を出力させる、
請求項３に記載のデジタルサイネージ再生装置。
【請求項５】
インターネットと接続するネットワークインターフェースをさらに備え、
前記制御部は、前記インターネットを介して接続されたサーバに前記履歴記憶部の内容を送信する、
請求項３又は請求項４に記載のデジタルサイネージ再生装置。
【請求項６】
インターネットと接続するネットワークインターフェースをさらに備え、
前記制御部は、前記コンテンツ記憶部に前記識別子に関連付けられた前記コンテンツが記憶されていない場合、前記インターネットを介して接続されたサーバから前記識別子に関連付けられた前記コンテンツをダウンロードして、再生を行うように前記再生部を制御する、
請求項１から請求項５のいずれか一項に記載のデジタルサイネージ再生装置。
【請求項７】
インターネットと接続するネットワークインターフェースをさらに備え、
前記制御部は、前記インターネットを介して接続されたサーバと通信を行い、前記コンテンツ記憶部に記憶されている前記コンテンツが最新でない場合は、前記サーバから最新の前記コンテンツをダウンロードする、
請求項１から請求項６のいずれか一項に記載のデジタルサイネージ再生装置。
【請求項８】
前記識別子入力部に入力される前記識別子は、バーコード又は２次元バーコードを読み取る前記読み取り装置から入力される識別子である、
請求項１から請求項７のいずれか一項に記載のデジタルサイネージ再生装置。
【請求項９】
前記識別子入力部に入力される前記識別子は、近距離無線通信を利用してＩＣタグの情報を読み取る前記読み取り装置から入力される識別子である、
請求項１から請求項７のいずれか一項に記載のデジタルサイネージ再生装置。
【請求項１０】
デジタルサイネージ再生装置の制御方法であって、
前記デジタルサイネージ再生装置は、
読み取り装置からサイネージ対象物を識別する識別子の入力を受け付ける識別子入力部と、
複数のコンテンツを記憶するコンテンツ記憶部と、
前記コンテンツを再生する再生部と、
再生部が再生した映像信号又は音声信号を出力する出力部と、
制御部と、
を備え、
前記デジタルサイネージ再生装置の制御方法は、
（ａ）前記制御部が、前記識別子入力部に前記識別子の入力が無い状態において、予め定められた前記コンテンツの再生を行うように前記再生部を制御する工程と、
（ｂ）前記制御部が、前記識別子入力部に前記識別子が入力されると、現時点で再生している前記コンテンツの再生を中断させて、前記識別子に関連付けられた前記コンテンツの再生を行うように前記再生部を制御する工程と、
を備える。
デジタルサイネージ再生装置の制御方法。
【請求項１１】
前記工程（ｂ）において、前記制御部は、前記識別子入力部に前記識別子が入力されると、現時点で再生している前記コンテンツの再生を中断させて、前記識別子に関連付けられた前記コンテンツを再生した後、再生を中断していた前記コンテンツの再生を再開させるように前記再生部を制御する、
請求項１０に記載のデジタルサイネージ再生装置の制御方法。
【請求項１２】
前記デジタルサイネージ再生装置は、
再生履歴記憶部をさらに備え、
（ｃ）前記制御部が、前記識別子入力部に入力された前記識別子および前記識別子に関連付けられた前記コンテンツが再生された日時を前記再生履歴記憶部に記憶させる工程をさらに備える、
請求項１０又は請求項１１に記載のデジタルサイネージ再生装置の制御方法。
【請求項１３】
（ｄ）前記制御部が、前記再生履歴記憶部に記憶されている情報に基づいて、前記識別子毎に前記識別子に関連付けられた前記コンテンツが再生された再生回数を集計する工程と、
（ｅ）前記制御部が、前記再生回数の多い順に、前記識別子に関連付けられた前記コンテンツのサムネイルを並べて表示させるように、前記出力部に前記映像信号を出力させる工程と、
をさらに備える、
請求項１２に記載のデジタルサイネージ再生装置の制御方法。
【請求項１４】
前記デジタルサイネージ再生装置は、
インターネットと接続するネットワークインターフェースをさらに備え、
（ｆ）前記制御部が、前記インターネットを介して接続されたサーバに前記再生履歴記憶部の内容を送信する工程をさらに備える、
請求項１２又は請求項１３に記載のデジタルサイネージ再生装置の制御方法。
【請求項１５】
前記デジタルサイネージ再生装置は、
インターネットと接続するネットワークインターフェースをさらに備え、
前記工程（ｂ）において、前記制御部は、前記コンテンツ記憶部に前記識別子に関連付けられた前記コンテンツが記憶されていない場合、前記インターネットを介して接続されたサーバから前記識別子に関連付けられた前記コンテンツをダウンロードして、再生を行うように前記再生部を制御する、
請求項１０から請求項１４のいずれか一項に記載のデジタルサイネージ再生装置の制御方法。
【請求項１６】
前記デジタルサイネージ再生装置は、
インターネットと接続するネットワークインターフェースをさらに備え、
（ｇ）前記制御部が、前記インターネットを介して接続されたサーバと通信を行い、前記コンテンツ記憶部に記憶されている前記コンテンツが最新でない場合は、前記サーバから最新の前記コンテンツをダウンロードする工程をさらに備える、
請求項１０から請求項１５のいずれか一項に記載のデジタルサイネージ再生装置の制御方法。
【請求項１７】
前記識別子入力部に入力される前記識別子は、バーコード又は２次元バーコードを読み取る前記読み取り装置から入力される識別子である、
請求項１０から請求項１６のいずれか一項に記載のデジタルサイネージ再生装置の制御方法。
【請求項１８】
前記識別子入力部に入力される前記識別子は、近距離無線通信を利用してＩＣタグの情報を読み取る前記読み取り装置から入力される識別子である、
請求項１０から請求項１６のいずれか一項に記載のデジタルサイネージ再生装置の制御方法。
【発明の詳細な説明】
【技術分野】
【０００１】
本発明はデジタルサイネージ再生装置およびデジタルサイネージ再生装置の制御方法に関する。
【背景技術】
【０００２】
近年、「デジタルサイネージ」と呼ばれる映像表示デバイスを用いた電子広告表示装置が従来のポスター等の紙媒体を用いた広告に置き換わり増加している。一般的に、電子広告表示装置は、動画および静止画コンテンツの再生順序が予め設定された番組編成に従って再生を行う。また、緊急時や限定的なイベントなどの際に、番組編成にコンテンツを割り込ませて再生する電子広告表示装置が知られている（例えば特許文献１を参照）。
【０００３】
特許文献１に開示された電子広告表示装置において、番組再構成装置は、コンテンツ毎に予め置き換え可能か否かを割り当てておき、必要な場合には置き換え可能なコンテンツを他のコンテンツに置き換えて番組構成を再構成する。番組再構成装置は、再構成されたコンテンツを端末に送信し、割り込み再生を行うことを特徴としている。
【０００４】
また、特許文献２においては、店舗などの所定の場所で撮影された画像、又は集音された音声をサーバ装置にアップロードし、サーバ装置にて広告する商品又はサービスのコンテンツを特定し、再生スケジュールにそのコンテンツを割り込ませて再生する技術が開示されている。
【先行技術文献】
【特許文献】
【０００５】
【特許文献１】特開２０１５−２６９２８号公報
【特許文献２】特開２０１３−１１４０４３号公報
【発明の概要】
【発明が解決しようとする課題】
【０００６】
しかしながら、特許文献１および特許文献２の従来の電子広告表示装置はネットワークを介してコンテンツ配信サーバとの接続が必須であり、配信サーバ側から各端末に対し割り込み再生の指示を行う仕組みとなっている。ネットワークを介したシステムを導入する場合、配線工事や配信サーバの設定等システム構築やシステムの運用コストが負担になり、システムの導入に踏み切れないケースがでてくるという問題がある。
【０００７】
また、特許文献１および特許文献２に記載の従来技術は、運用者の都合によって割り込みコンテンツを再生することが目的となっており、広告視聴者が自らの操作で所望するコンテンツを再生する用途には適してしていなかった。
【０００８】
本発明は以上のような課題を解決するためになされたものであり、初期導入時は最小構成かつ安価なシステム構築が可能で、視聴者が自らの操作でコンテンツを割り込み再生することが可能なデジタルサイネージ再生装置およびデジタルサイネージ再生装置の制御方法の提供を目的とする。
【課題を解決するための手段】
【０００９】
本発明に係るデジタルサイネージ再生装置は、読み取り装置からサイネージ対象物を識別する識別子の入力を受け付ける識別子入力部と、複数のコンテンツを記憶するコンテンツ記憶部と、コンテンツを再生する再生部と、再生部が再生した映像信号又は音声信号を出力する出力部と、制御部と、を備え、制御部は、識別子入力部に識別子の入力が無い状態において、予め定められたコンテンツの再生を行うように再生部を制御し、制御部は、識別子入力部に識別子が入力されると、現時点で再生しているコンテンツの再生を中断させて、識別子に関連付けられたコンテンツの再生を行うように再生部を制御する。
【発明の効果】
【００１０】
本発明に係るデジタルサイネージ再生装置は、識別子が入力されない状態においては、予め定められたコンテンツの再生を行い、広告視聴者の操作により識別子が入力された場合には、現時点で再生しているコンテンツの再生を中断し、識別子に関連付けられたコンテンツを即時再生する。これにより、広告視聴者は、興味のあるサイネージ対象物の情報を簡単な操作で視聴することができるため、販売促進効果および顧客満足度を向上することが可能となる。また、本発明に係るデジタルサイネージ再生装置は、サーバ等と接続せずに簡易な構成で運用することが可能であり、運用に要する費用を抑制することが可能である。
【図面の簡単な説明】
【００１１】
【図１】実施の形態１に係るデジタルサイネージ再生装置の機能ブロック図である。
【図２】実施の形態１に係るデジタルサイネージ再生装置のハードウェア構成図である。
【図３】実施の形態１に係るデジタルサイネージ再生装置の設定ファイルを示す図である。
【図４】実施の形態１に係るデジタルサイネージ再生装置におけるコンテンツ情報ファイルを示す図である。
【図５】実施の形態１に係るデジタルサイネージ再生装置のコンテンツ情報ファイルにおけるプレイリストを示す図である。
【図６】実施の形態１に係るデジタルサイネージ再生装置の動作を示すフローチャートである。
【図７】実施の形態１に係るデジタルサイネージ再生装置の検索動作を示すフローチャートである。
【図８】実施の形態２に係るデジタルサイネージ再生装置の機能ブロック図である。
【図９】実施の形態２に係るデジタルサイネージ再生装置の再生履歴リストを示す表である。
【図１０】実施の形態２に係るデジタルサイネージ再生装置の再生順位リストを示す表である。
【図１１】再生ランキング表示の一例を示す画面構成図である。
【図１２】再生ランキング表示の全画面表示の一例を示す画面構成図である。
【図１３】実施の形態３に係るデジタルサイネージ再生装置の機能ブロック図である。
【図１４】コンテンツに識別子を設定する動作を説明する図である。
【発明を実施するための形態】
【００１２】
＜実施の形態１＞
＜構成＞
図１は、本実施の形態１におけるデジタルサイネージ再生装置１００の機能ブロック図である。なお、以下ではデジタルサイネージ再生装置１００をＤＳ再生装置１００とも記載する。図１に示すように、ＤＳ再生装置１００は、識別子入力部１と、コンテンツ記憶部２と、再生部３と、出力部４と、制御部５とを備える。
【００１３】
識別子入力部１は、ＤＳ再生装置１００の外部に設けられた読み取り装置１０６からサイネージ対象物を識別する識別子の入力を受け付ける。コンテンツ記憶部２は、複数のコンテンツを記憶する。再生部３はコンテンツを再生する。出力部４は、ＤＳ再生装置１００の外部に設けられたディスプレイ１０５に対して再生部３が再生した映像信号又は音声信号を出力する。
【００１４】
本実施の形態１において、制御部５は、識別子入力部１に識別子の入力が無い状態において、予め定められたコンテンツの再生を行うように再生部３を制御する。
【００１５】
また、本実施の形態１において、制御部５は、識別子入力部１に識別子が入力されると、現時点で再生しているコンテンツの再生を中断させて、識別子に関連付けられたコンテンツの再生を行うように再生部３を制御する。
【００１６】
なお、サイネージ対象物とは、例えば店舗で販売されている商品である。この場合、識別子は商品を識別するために用いられる。そのため、本実施の形態１では、識別子のことを商品コードとも記載する。
【００１７】
また、図１において、制御部５と再生部３の間において、コンテンツ再生要求信号１２０、コンテンツ再生応答１２７が送受信される。また、再生部３は出力部４に対して映像信号／音声信号１２１を送信する。出力部４はディスプレイ１０５に対して映像信号を含む出力信号１２２を出力する。識別子入力部１には、読み取り装置１０６から読み取りデータ１２３が入力される。識別子入力部１は制御部５に対して識別子読み取り通知１２４を送信する。
【００１８】
図２は、ＤＳ再生装置１００のハードウェア構成図である。識別子入力部１および出力部４は、入出力インターフェースＨＷ４により実現される。入出力インターフェースＨＷ４は、読み取り装置１０６からの読み取りデータを受信可能なインターフェースを備える。また、入出力インターフェースＨＷ４は、ディスプレイ１０５を接続可能なインターフェースを備える。
【００１９】
コンテンツ記憶部２は、記憶装置ＨＷ３により実現される。記憶装置ＨＷ３は、不揮発性メモリであり、例えばハードディスク・ドライブ（Ｈａｒｄ  Ｄｉｓｋ  Ｄｒｉｖｅ：ＨＤＤ）、ＲＯＭ等の半導体メモリにより実現される。
【００２０】
再生部３および制御部５は、処理回路ＨＷ１によって実現される。処理回路ＨＷ１は、専用のハードウェアであっても、メモリＨＷ２に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００２１】
処理回路ＨＷ１が専用のハードウェアである場合、処理回路ＨＷ１は、例えば、単一回路、複合回路、プログラム化したプロセッサ、並列プログラム化したプロセッサ、ＡＳＩＣ、ＦＰＧＡ、またはこれらを組み合わせたものが該当する。
【００２２】
処理回路ＨＷ１がＣＰＵの場合、再生部３および制御部５の機能はソフトウェア、ファームウェア、またはソフトウェアとファームウェアとの組み合わせにより実現される。ソフトウェアやファームウェアはプログラムとして記述され、メモリＨＷ２に格納される。処理回路ＨＷ１は、メモリＨＷ２に記憶されたプログラムを読み出して実行することにより、再生部３および制御部５の機能を実現する。また、このプログラムは、再生部３および制御部５の手順や方法をコンピュータに実行させるものであるともいえる。ここで、メモリＨＷ２とは、例えば、ＲＡＭ、ＲＯＭ、フラッシュメモリー、ＥＰＲＯＭ、ＥＥＰＲＯＭ等の、不揮発性または揮発性の半導体メモリや、磁気ディスク、フレキシブルディスク、光ディスク、コンパクトディスク、ミニディスク、ＤＶＤ等が該当する。
【００２３】
なお、再生部３および制御部５の機能について、一部を専用のハードウェアで実現し、一部をソフトウェアまたはファームウェアで実現するようにしてもよい。
【００２４】
図３は、ＤＳ再生装置１００の設定ファイルを示す図である。設定ファイルは例えば、コンテンツ記憶部２に記憶されている。図３に示すように、設定ファイルには、再生開始時刻Ｌ２０１、再生終了時刻Ｌ２０２、通常再生コンテンツ番号Ｌ２０３、割り込み再生回数Ｌ２０４の各項目に関して設定が記載されている。再生開始時刻Ｌ２０１とはＤＳ再生装置１００がコンテンツの再生動作を開始する時刻である。また、再生終了時刻Ｌ２０２とはＤＳ再生装置１００がコンテンツの再生動作を終了する時刻である。図３の例では、再生開始時刻Ｌ２０１が９：４５、再生終了時刻Ｌ２０２が２１：００に設定されている。
【００２５】
通常再生コンテンツ番号Ｌ２０３とは、識別子入力部１に識別子の入力が無い状態において再生されるコンテンツの番号である。図３の例では、通常再生コンテンツ番号Ｌ２０３として「１」が設定されている。割り込み再生回数Ｌ２０４とは、識別子入力部１に入力された識別子に関連付けられたコンテンツを、通常再生コンテンツに対して割り込みで再生する際の再生回数である。図３の例では、割り込み再生回数Ｌ２０４として「１」が設定されている。
【００２６】
図４は、ＤＳ再生装置１００のコンテンツ記憶部２に記憶されるコンテンツ情報ファイルを示す図である。図４に示すように、コンテンツ記憶部２には、コンテンツと一対一に対応してコンテンツ情報ファイルが記憶されている。コンテンツ情報ファイルには、コンテンツの番号、コンテンツのバージョン、コンテンツの識別子、プレイリストが記載されている。コンテンツのバージョンとは、数字が大きいほどそのコンテンツが新しいバージョンであることを意味する。コンテンツの識別子とは、例えば数字の羅列からなる商品コードであり、そのコンテンツを他のコンテンツから一意に識別するための情報である。
【００２７】
なお、本実施形態においては、コンテンツ情報ファイルの中に識別子を記載するようにしたが、コンテンツ情報ファイルのファイル名称を識別子としてもよい。
【００２８】
図５は、プレイリストの一例を示す図である。図５に示すように、コンテンツはプレイリストを有し、プレイリストは１又は複数のサブコンテンツから構成される。プレイリストにはサブコンテンツの再生順Ｌ４０１、ファイル名Ｌ４０２、データ形式Ｌ４０３、ファイルパスＬ４０４、再生時間Ｌ４０５が記載されている。図５に示すプレイリストを有するコンテンツを再生する場合、再生順Ｌ４０１に従って５つのサブコンテンツが連続して再生される。
【００２９】
＜動作＞
図６は、ＤＳ再生装置１００の動作を示すフローチャートである。まず、ＤＳ再生装置１００に電力が投入されると、制御部５が起動する。制御部５はコンテンツ記憶部２から設定ファイル（図３を参照）を読み込む。そして、設定ファイルに記載されている再生開始時刻Ｌ２０１を取得する。次いで、制御部５は図示しない時計部から現在時刻を取得し、再生開始時刻Ｌ２０１と比較を行い、現在時刻が再生開始時刻であればＤＳ再生装置１００の電源状態をオン状態にする。
【００３０】
次に、制御部５は、通常コンテンツの再生を開始する（ステップＳ１０１）。ここで、「通常コンテンツの再生」とは、予め定められたコンテンツの再生を行うことであり、例えば、設定ファイルに記載されている通常再生コンテンツ番号Ｌ２０２に対応するコンテンツの再生を行うことを意味する。
【００３１】
具体的には、制御部５は、設定ファイルに記載されている通常再生コンテンツ番号Ｌ２０２を取得する。そして、制御部５は、コンテンツ再生要求１２０に通常再生コンテンツ番号Ｌ２０２をセットし、再生部３に送信する。再生部３は、コンテンツ再生要求１２０を受信すると、コンテンツ記憶部２から通常再生コンテンツ番号Ｌ２０２に対応するコンテンツのプレイリストを読み込む。そして、再生順Ｌ４０１に従ってファイルパスＬ４０４で指定されるサブコンテンツのデータを取得し、コンテンツ種類Ｌ４０３に応じたデコード処理を開始する。再生部１０３は、デコード処理によって得られた映像／音声データ１２１を出力部４に送信する。
【００３２】
出力部４は、受信した映像／音声データ１２１を映像信号と音声信号を含む出力信号１２２に変換し、ディスプレイ１０５に出力する。ディスプレイ１０５には、受信した出力信号１２２に対応する映像が表示される。また、図示しないスピーカーからは音声が出力される。
【００３３】
サブコンテンツの再生が終了するか、又はプレイリストに設定された再生時間Ｌ４０５に達した場合、再生部３は、プレイリストの再生順Ｌ４０１を１つ進め、次のサブコンテンツの再生を開始する。プレイリストに記載された全てのサブコンテンツの再生が終了した場合は、プレイリストの先頭からコンテンツの再生を繰り返し行う。なお、通常再生コンテンツ番号Ｌ２０２として複数のコンテンツ番号を設定しておいてもよい。この場合、再生部３は、複数のコンテンツの再生を例えばコンテンツ番号の小さい順に繰り返し行う。
【００３４】
また、通常再生コンテンツ番号Ｌ２０２が未設定の場合は、コンテンツ記憶部２に記憶されているプレイリストの中から最初に検出されたプレイリストを選択して、コンテンツの再生を行う。
【００３５】
次に、通常コンテンツの再生を行っている状態において、他のコンテンツの割り込み再生を行う場合の動作について説明する。
【００３６】
制御部５は、識別子読取通知１２４を受信すると識別子の入力を検出する（ステップＳ１０２）。制御部５が識別子の入力を検出するまでの動作について説明する。広告視聴者は、詳細情報を知りたい商品に印字されているバーコードを、ＤＳ再生装置１００に接続された読み取り装置１０６に読み取らせる。ここで、読み取り装置１０６はバーコードリーダである。読み取り装置１０６は、バーコードを読み取ると、識別子入力部１に読取データ１２３を送信する。なお、読み取り装置１０６は、例えばＵＳＢ（Ｕｎｉｖｅｒｓａｌ  Ｓｅｒｉａｌ  Ｂｕｓ）  ＨＩＤ（Ｈｕｍａｎ  Ｉｎｔｅｒｆａｃｅ  Ｄｅｖｉｃｅ）クラスに準拠したデバイスである。読取データ１２３はＵＳＢキーボードにより入力される文字と同様の形式でＤＳ再生装置１００に取り込まれる。識別子入力部１０７は、読取データ１２３の個々の文字をつなぎ合わせて識別子を生成し、識別子読取通知１２４にセットして、制御部５に送信する。
【００３７】
ステップＳ１０２において、制御部５が識別子の入力を検出すると、制御部５はコンテンツ記憶部２を対象として、識別子に関連付けられたコンテンツの検索を行う（ステップＳ１０３）。コンテンツの検索方法は図７を用いて後述する。
【００３８】
ステップＳ１０４において、制御部５は識別子に関連付けられたコンテンツが検出されたか否かの判定を行う。制御部５が識別子に関連付けられたコンテンツを検出した場合、制御部５は、再生部３を制御して通常コンテンツの再生を中断させるとともに、識別子に関連付けられたコンテンツの再生を行わせる（ステップＳ１０５）。つまり、制御部５は、コンテンツ再生要求１２０に検出したコンテンツの番号をセットして、再生部３に送信する。
【００３９】
再生部３は、コンテンツ再生要求１２０を受信すると、コンテンツ記憶部２からコンテンツ再生要求１２０にセットされたコンテンツ番号に対応するコンテンツのプレイリストを読み込む。再生部３は、プレイリストに記載された順番に従って、コンテンツ記憶部２から順次サブコンテンツのデータを取得してデコード処理を行い、デコード処理によって得られた映像／音声データ１２１を出力部１０４に送信する。再生部３は、設定ファイルの割り込み再生回数Ｌ２０３に設定されている回数分だけ、コンテンツの再生を繰り返す。図２の例においては、割り込み再生回数Ｌ２０３が「１」に設定されているため、再生部３は、コンテンツのプレイリストに従った再生を１回だけ行う。割り込み再生回数Ｌ２０３だけ再生を行った後、再生部３は制御部５にコンテンツ再生応答１２７を送信する。
【００４０】
制御部５は、コンテンツ再生応答１２７を受信すると、再生部３を制御して通常コンテンツの再生を再開させる（ステップＳ１０６）。通常コンテンツの再生中に、識別子の入力が検出された場合、上述したステップＳ１０２〜Ｓ１０６の動作を再び行う。
【００４１】
なお、ステップＳ１０４において、制御部５が識別子に関連付けられたコンテンツを検出しなかった場合、通常コンテンツの再生が継続される。なお、この場合、「該当するコンテンツがありません」など、コンテンツが見つからない旨を広告視聴者に通知する表示をディスプレイの一部に表示させてもよい。
【００４２】
図７は、識別子に関連付けられたコンテンツの検索動作（図６のステップＳ１０３）の詳細を示すフローチャートである。まず、制御部５は、入力された識別子を内部変数「コードＡ」にセットする（ステップＳ２０１）。
【００４３】
次に、制御部５は再生対象のコンテンツ番号を示す内部変数Ｎに「Ｎ＝０」をセットする（ステップＳ２０２）そして、制御部５はコンテンツ記憶部２から番号Ｎのコンテンツ情報ファイルを読み込む（ステップＳ２０３）。そして、制御部５は、番号Ｎのコンテンツ情報ファイルに記載されている識別子を内部変数「コードＢ」にセットする（ステップＳ２０４）。
【００４４】
制御部５は、変数「コードＡ」と変数「コードＢ」が一致するか否かを判定する（ステップＳ２０５）。ステップＳ２０５において、一致すると判定された場合、制御部５は、再生対象コンテンツ番号に「Ｎ」をセットする（ステップＳ２０６）。そして、制御部５は、コンテンツ再生要求１２０に再生対象コンテンツの番号「Ｎ」をセットして検索処理を終了する。
【００４５】
一方、ステップＳ２０５において、一致すると判定されなかった場合、制御部５は、全てのコンテンツ情報ファイルを確認済か否かを判定する（ステップＳ２０７）。ステップＳ２０７において全てのコンテンツ情報ファイルを確認済みと判定された場合、制御部５は、再生対象コンテンツ番号に「なし」をセットして検索処理を終了する（ステップＳ２０８）。
【００４６】
一方、ステップＳ２０７において全てのコンテンツ情報ファイルを確認済みと判定されなかった場合、制御部５は、内部変数ＮをＮ＋１にセットし直す（ステップＳ２０９）。そして、制御部５はステップＳ２０３以降の動作を繰り返す。
【００４７】
＜効果＞
本実施の形態１におけるＤＳ再生装置１００は、読み取り装置１０６から商品を識別する識別子の入力を受け付ける識別子入力部１と、複数のコンテンツを記憶するコンテンツ記憶部２と、コンテンツを再生する再生部３と、再生部３が再生した映像信号又は音声信号を出力する出力部４と、制御部５と、を備え、制御部５は、識別子入力部１に識別子の入力が無い状態において、予め定められたコンテンツの再生を行うように再生部３を制御し、制御部５は、識別子入力部１に識別子が入力されると、現時点で再生しているコンテンツの再生を中断させて、識別子に関連付けられたコンテンツの再生を行うように再生部３を制御する。
【００４８】
本実施の形態１におけるＤＳ再生装置１００は、識別子が入力されない状態においては、予め定められたコンテンツの再生を行い、広告視聴者の操作により識別子が入力された場合には、現時点で再生しているコンテンツの再生を中断し、識別子に関連付けられたコンテンツを即時再生する。これにより、広告視聴者は、興味のある商品の情報を簡単な操作でディスプレイに表示することができるため、販売促進効果および顧客満足度を向上することが可能となる。また、本実施の形態１におけるＤＳ再生装置１００はサーバ等と接続せずに簡易な構成で運用することが可能であり、運用に要する費用を抑制することが可能である。
【００４９】
また、本実施の形態１におけるＤＳ再生装置１００において、制御部５は、識別子入力部１に識別子が入力されると、現時点で再生している前記コンテンツの再生を中断させて、前記商品識別子に関連付けられたコンテンツを再生した後、再生を中断していたコンテンツの再生を再開させるように再生部３を制御する。
【００５０】
本実施の形態１におけるＤＳ再生装置１００は、広告視聴者の操作により識別子が入力された場合には、現時点で再生しているコンテンツの再生を中断し、識別子に関連付けられたコンテンツを即時再生する。そして、割り込ませて再生したコンテンツの再生が終了した後は、再生を中断していたコンテンツの再生を再開する。従って、再生を中断したコンテンツの再生を自動的に再開させるため、割り込ませて再生したコンテンツが、元々再生していた運用者側が指定するコンテンツの再生を妨げることを最小限にすることが可能である。
【００５１】
また、本実施の形態１におけるＤＳ再生装置１００の制御方法において、ＤＳ再生装置１００は、読み取り装置１０６から商品を識別する識別子の入力を受け付ける識別子入力部１と、複数のコンテンツを記憶するコンテンツ記憶部２と、コンテンツを再生する再生部３と、再生部３が再生した映像信号又は音声信号を出力する出力部４と、制御部５と、を備え、ＤＳ再生装置１００の制御方法は、（ａ）制御部５が、識別子入力部１に識別子の入力が無い状態において、予め定められたコンテンツの再生を行うように再生部３を制御する工程と、（ｂ）制御部５が、識別子入力部１に識別子が入力されると、現時点で再生しているコンテンツの再生を中断させて、識別子に関連付けられたコンテンツの再生を行うように再生部３を制御する工程と、を備える。
【００５２】
本実施の形態１におけるＤＳ再生装置１００の制御方法において、制御部５は、識別子が入力されない状態においては、予め定められたコンテンツの再生を行い、広告視聴者の操作により識別子が入力された場合には、現時点で再生しているコンテンツの再生を中断し、識別子に関連付けられたコンテンツを即時再生する。この制御により、広告視聴者は、興味のある商品の情報を簡単な操作でディスプレイに表示することができるため、販売促進効果および顧客満足度を向上することが可能となる。
【００５３】
また、本実施の形態１におけるＤＳ再生装置１００の制御方法の工程（ｂ）において、制御部５は、識別子入力部１に識別子が入力されると、現時点で再生しているコンテンツの再生を中断させて、識別子に関連付けられたコンテンツを再生した後、再生を中断していたコンテンツの再生を再開させるように再生部３を制御する。
【００５４】
本実施の形態１におけるＤＳ再生装置１００の制御方法によれば、制御部５は、広告視聴者の操作により識別子が入力された場合には、現時点で再生しているコンテンツの再生を中断し、識別子に関連付けられたコンテンツを即時再生する。そして、割り込ませて再生したコンテンツの再生が終了した後は、再生を中断していたコンテンツの再生が再開される。従って、再生を中断したコンテンツの再生を自動的に再開させるため、割り込ませて再生したコンテンツが、元々再生していた運用者側が指定するコンテンツの再生を妨げることを最小限にすることが可能である。
【００５５】
また、本実施の形態１におけるＤＳ再生装置１００およびＤＳ再生装置１００の制御方法において、識別子入力部１に入力される識別子は、バーコード又は２次元バーコードを読み取る読み取り装置１０６から入力される識別子である。
【００５６】
従って、商品にはバーコード又は２次元バーコードが印字されて管理されることが一般的であるため、ＤＳ再生装置１００をバーコード又は２次元バーコードに対応させることにより、ＤＳ再生装置１００の運用開始に要する費用を抑制することが可能である。
【００５７】
＜実施の形態２＞
＜構成＞
図８は、本実施の形態２におけるデジタルサイネージ再生装置２００の機能ブロック図である。なお、以下ではデジタルサイネージ再生装置２００をＤＳ再生装置２００とも記載する。
【００５８】
ＤＳ再生装置２００は、図１に示すＤＳ再生装置１００に対して、再生履歴記憶部６と画面生成部８をさらに備える。ＤＳ再生装置２００のその他の構成はＤＳ再生装置１００と同じため、説明を省略する。
【００５９】
再生履歴記憶部６は、識別子入力部１に入力された識別子および前記識別子に関連付けられたコンテンツが再生された日時を記憶する。つまり、再生履歴記憶部６は、コンテンツが割り込みで再生された際に、そのコンテンツの識別子と再生日時とを記憶する。画面生成部８は、後述するランキング画面を生成する。
【００６０】
再生履歴記憶部６は、不揮発性メモリであり、例えばハードディスク・ドライブ、ＲＯＭ等の半導体メモリにより実現される。画面生成部８は、図２に示す処理回路ＨＷ１によって実現される。処理回路ＨＷ１は、専用のハードウェアであっても、メモリＨＷ２に格納されるプログラムを実行するＣＰＵであってもよい。
【００６１】
図９は、再生履歴記憶部６に記憶されている再生履歴リストの一例を示す図である。再生履歴リストには、割り込み再生されたコンテンツの再生日時Ｌ６０１、識別子Ｌ６０２および再生回数Ｌ６０３が記載される。
【００６２】
図１０は、再生履歴記憶部６に記憶されている再生順位リストの一例を示す図である。再生順位リストには、再生順位Ｌ７０１、識別子Ｌ７０２、合計再生回数Ｌ７０３が記載される。制御部５は、再生履歴リストに基づいて再生順位リストを生成する。例えば、制御部５は、再生履歴リストが更新されるたびに、再生順位リストの内容を書き換える。
【００６３】
本実施の形態２において、図３の設定ファイルには「ランキング表示可否」の項目が追加される。ランキング表示可否に対して、「切」、「入：同時表示」、「入：全画面表示」のいずれかが設定されている。
【００６４】
＜動作＞
図１１は、ランキング表示可否が「入：同時表示」に設定されている場合の画面構成を示す図である。この場合、図１１に示すように、ＤＳ再生装置２００はディスプレイ１０５のコンテンツ表示エリアＧ８０１にコンテンツを表示し、ランキング表示エリアＧ８０２にランキングを表示させる。ランキング表示可否が「入：同時表示」に設定されている場合の詳細な動作を説明する。
【００６５】
制御部５は、再生履歴記憶部６に記憶されている再生履歴リストを読み込み、再生履歴リストに記載されている各コンテンツの再生回数を集計して、再生順位リストを生成する。制御部５は、再生順位リストをランキング表示要求１２５にセットし、画面生成部８に送信する。
【００６６】
画面生成部８は、再生順位リストを参照してランキング表示エリアＧ８０２に表示させる画面を生成して、ランキング画面グラフィックデータ１２６として出力部４に送信する。図１１に示すように、ランキング表示エリアＧ８０２には、再生回数の多い順にコンテンツのサムネイルが並べて表示される。ここで、サムネイルとはそのコンテンツから抽出した画像データである。各サムネイルの横には、再生順位および再生回数を表示させてもよい。
【００６７】
出力部１０４は、映像／音声データ１２１に含まれる映像データにランキング画面グラフィックデータ１２６を重畳することにより出力信号１２２を生成し、ディスプレイ１０５に出力する。このとき、映像データを縮小し、映像がランキング画面で隠れないように制御する。また、ランキングの表示内容がランキング表示エリアＧ８０２内に収まりきらない場合、ランキングの表示内容を一定時間おきにスクロールさせてもよい。また、広告視聴者の操作によりランキングの表示内容をスクロール可能としてもよい。
【００６８】
図１２は、ランキング表示可否が「入：全画面表示」に設定されている場合の画面構成を示す図である。この場合、図１２に示すように、ＤＳ再生装置２００はディスプレイ１０５の画面全体にランキングを表示させる。ランキングは、例えば、コンテンツの再生が終了して、次のコンテンツの再生が開始するまでの間に予め定められた時間だけ画面全体に表示される。
【００６９】
また、ランキング表示可否が「切」に設定されている場合、ＤＳ再生装置２００はランキング表示を行わない。なお、ランキング表示可否が「切」に設定されている場合であっても、再生履歴リストの更新は行われる。
【００７０】
＜効果＞
本実施の形態２におけるＤＳ再生装置２００は、再生履歴記憶部６をさらに備え、制御部５は、識別子入力部１に入力された識別子および識別子に関連付けられたコンテンツが再生された日時を再生履歴記憶部６に記憶させる。
【００７１】
従って、コンテンツの再生履歴をＤＳ再生装置２００内に保持することにより、再生履歴を活用して、広告視聴者に対しては店舗内の人気商品の情報を提供することができると共に、運用者に対してはマーケティングデータの提供が可能である。このように、一般的なサイネージシステムに比べて広告視聴者および運用者側にとって双方向性の高いサービスが提供できる。
【００７２】
また、本実施の形態２におけるＤＳ再生装置２００において、制御部５は再生履歴記憶部６に記憶されている情報に基づいて、識別子毎に識別子に関連付けられたコンテンツが再生された再生回数を集計し、制御部５は、再生回数の多い順に、識別子に関連付けられたコンテンツのサムネイルを並べて表示させるように、出力部に映像信号を出力させる。
【００７３】
従って、再生回数のランキングを広告視聴者に向けて表示することにより、人気の商品を広告視聴者に伝えることが可能である。
【００７４】
また、本実施の形態２におけるＤＳ再生装置２００の制御方法において、ＤＳ再生装置２００は、再生履歴記憶部６をさらに備え、（ｃ）制御部５が、識別子入力部１に入力された識別子および識別子に関連付けられたコンテンツが再生された日時を再生履歴記憶部６に記憶させる工程をさらに備える。
【００７５】
従って、コンテンツの再生履歴をＤＳ再生装置２００内に保持することにより、再生履歴を活用して、広告視聴者に対しては店舗内の人気商品の情報を提供することができると共に、運用者に対してはマーケティングデータの提供が可能である。このように、一般的なサイネージシステムに比べて広告視聴者および運用者側にとって双方向性の高いサービスが提供できる。
【００７６】
また、本実施の形態２におけるＤＳ再生装置２００の制御方法は、（ｄ）制御部５が、再生履歴記憶部６に記憶されている情報に基づいて、識別子毎に識別子に関連付けられたコンテンツが再生された再生回数を集計する工程と、（ｅ）制御部５が、再生回数の多い順に、識別子に関連付けられたコンテンツのサムネイルを並べて表示させるように、出力部４に映像信号を出力させる工程と、をさらに備える。
【００７７】
従って、コンテンツごとに再生回数を集計して、再生回数のランキングを広告視聴者に向けて表示する制御を行うことにより、人気の商品を広告視聴者に伝えることが可能である。
【００７８】
＜実施の形態３＞
図１３は、本実施の形態３におけるデジタルサイネージ再生装置３００の機能ブロック図である。なお、以下ではデジタルサイネージ再生装置３００をＤＳ再生装置３００とも記載する。
【００７９】
ＤＳ再生装置３００は、図２に示すＤＳ再生装置２００に対して、ネットワークインターフェース７をさらに備える。ＤＳ再生装置３００のその他の構成はＤＳ再生装置２００と同じため、説明を省略する。
【００８０】
ネットワークインターフェース７は、インターネット１４０を介してＤＳ再生装置３００をサーバ１１０に接続するためのインターフェースである。
【００８１】
本実施の形態３において、制御部５は、インターネット１４０を介して接続されたサーバ１１０に再生履歴記憶部６の内容を送信する。ここで、再生履歴記憶部６の内容とは、実施の形態２で述べた再生履歴リスト又は再生順位リストである。
【００８２】
また、本実施の形態３において、制御部５は、コンテンツ記憶部２に識別子に関連付けられたコンテンツが記憶されていない場合、インターネット１４０を介して接続されたサーバ１１０から識別子に関連付けられたコンテンツをダウンロードして、再生を行うように再生部３を制御する。コンテンツをダウンロードする動作に関して以下で詳しく説明する。
【００８３】
図６のステップＳ１０４において識別子に関連付けられたコンテンツを検出したと判定されなかった場合、即ち検索処理において再生対象コンテンツの番号に「なし」が設定された場合、制御部５は、入力された識別子をサーバ要求１２８にセットし、ネットワークインターフェース７を介してサーバ１１０に送信する。
【００８４】
サーバ１１０は、サーバ要求１２８から識別子を抽出し、サーバ１１０内において識別子に関連付けられたコンテンツ情報ファイルを検索する。そして、サーバ１１０は、識別子に関連付けられたコンテンツ情報ファイルをサーバ応答１３０にセットし、制御部５に送信する。
【００８５】
次に、制御部５は、サーバ応答１３０で通知された内容に基づき、コンテンツ情報ファイルおよびコンテンツデータをサーバ１１０からダウンロードして、コンテンツ記憶部２に記憶させる。ここで、コンテンツデータは、１又は複数のサブコンテンツのデータから構成される。
【００８６】
次に、制御部５は、サーバ１１０からダウンロードしたコンテンツを再生対象コンテンツとして設定する。以降の処理は、図６のステップＳ１０５，Ｓ１０６と同じため説明を省略する。
【００８７】
本実施の形態３におけるＤＳ再生装置３００の再生時間外の動作について説明する。ここで、再生時間外とは、設定ファイルにおける再生終了時刻から再生開始時刻までの間の時間を意味する。
【００８８】
制御部５は一定周期で現在時刻と再生終了時刻Ｌ２０２を比較し、現在時刻が再生終了時刻になった場合、ＤＳ再生装置３００の電源状態をオフ状態に切り換える。
【００８９】
次に、制御部５は、再生履歴記憶部６から再生履歴リストを取得し、インターネット１４０を介してサーバ１１０に再生履歴リストをアップロードする。
【００９０】
次に、制御部５は、コンテンツ記憶部２に記憶されている全てのコンテンツに対して更新を確認する処理を行う。制御部５は、コンテンツ記憶部２に記憶されているコンテンツ情報ファイルを参照して、そのコンテンツの識別子とバージョンを取得する。そして、制御部５は、識別子とバージョンの情報をサーバ１１０に送信する。
【００９１】
サーバ１１０は、識別子とバージョンの情報を受信すると、サーバ内において同一の識別子のコンテンツを検索する。そして、同一の識別子のコンテンツがある場合、そのコンテンツのバージョンと、受信したバージョンを比較する。２つのバージョンが同じ場合、サーバ１１０は、ＤＳ再生装置３００に対してコンテンツのバージョンが最新である旨を通知する。一方、サーバ１１０内のコンテンツのバージョンが新しい場合、即ち、サーバ１１０内のコンテンツのバージョンの数字がより大きい場合、サーバ１１０はコンテンツ情報ファイルを制御部５に送信する。
【００９２】
制御部５は受信したコンテンツ情報ファイルの内容に基づいて、プレイリストおよびコンテンツデータをサーバ１１０からダウンロードして、コンテンツ記憶部２に記憶されている古いバージョンのコンテンツに上書き保存する。制御部５は、以上で説明した更新確認処理を全てのコンテンツに対して行う。
【００９３】
以下では、実施の形態１〜３のＤＳ再生装置１００，２００，３００に共通するコンテンツに識別子を設定する方法について説明する。図１４は、識別子を設定する画面操作を示す図である。
【００９４】
まず、使用者は、ＤＳ再生装置１００（又は、ＤＳ再生装置２００，３００）に対してリモートコントローラ（以下ではリモコンとも記載する）等で操作を行い、設定対象のコンテンツ情報ファイルの編集画面Ｇ９０１を表示させる。使用者は、リモコンの操作によりコード設定ボタンＧ９０１ａ選択し、リモコンの決定ボタンを押す。これにより、編集画面Ｇ９０１が画面Ｇ９０２に切り替わる。
【００９５】
画面Ｇ９０２において、使用者は、読み取り装置１０６に商品のバーコードを読み取らせる。すると、画面Ｇ９０２のウインドウＧ９０２ａに商品の識別子が表示される。使用者は、ウインドウＧ９０２ａの完了ボタンＧ９０２ｂを選択して、リモコンの決定ボタンを押す。これにより、画面Ｇ９０３に示すように、コンテンツに商品の識別子が設定される。なお、識別子の入力は、リモコンのボタン操作によっても行うことができる。
【００９６】
以上の手順により、コンテンツに対する識別子の設定作業を、商品のバーコードの読み込みによって簡単に実施することが可能である。よって、ＰＣ（Ｐｅｒｓｏｎａｌ  Ｃｏｍｐｕｔｅｒ）等でコンテンツ情報ファイルを編集せずにコンテンツに商品の識別子を設定することが可能であり、作業者にとって利便性が向上する。
【００９７】
また、上述のように、本実施例によれば、各コンテンツ情報ファイルごとに識別子（即ち商品コード）を記載するようにしているため、全ての識別子とコンテンツの関係を一覧にしたファイルを持つ方式に比べ、識別子の追加や変更が行いやすいという利点がある。
【００９８】
本実施形態３のＤＳ再生装置３００の活用例として、商品を製造するメーカーが自社製品をＰＲするためにコンテンツを作成し、サーバ１１０にコンテンツを投稿しておく。一方、各小売店舗にはＤＳ再生装置３００が設置される。これにより、各小売店舗において、ＤＳ再生装置３００は、広告視聴者が読み取らせた商品のバーコードに基づいてサーバ１１０からコンテンツを取得して、商品の広告を再生することが可能となる。
【００９９】
＜効果＞
本実施の形態３におけるＤＳ再生装置３００は、インターネット１４０と接続するネットワークインターフェース７をさらに備え、制御部５は、インターネット１４０を介して接続されたサーバ１１０に再生履歴記憶部６の内容を送信する。
【０１００】
ＤＳ再生装置３００をインターネット１４０を介してサーバ１１０に接続可能とすることにより、ＤＳ再生装置３００内に蓄積された再生履歴をサーバ１１０にアップロードすることが可能となる。従って、サーバ側において運用者はより多くのマーケティングデータを活用することが可能となる。
【０１０１】
また、本実施の形態３におけるＤＳ再生装置３００は、インターネット１４０と接続するネットワークインターフェース７をさらに備え、制御部５は、コンテンツ記憶部２に識別子に関連付けられたコンテンツが記憶されていない場合、インターネット１４０を介して接続されたサーバ１１０から識別子に関連付けられたコンテンツをダウンロードして、再生を行うように再生部３を制御する。
【０１０２】
ＤＳ再生装置３００をインターネット１４０を介してサーバ１１０に接続可能とすることにより、ＤＳ再生装置３００内に存在しないコンテンツをサーバ１１０から取得することが可能となる。従って、新商品であっても運用者側の手間なく即座にコンテンツを表示することが可能となる。
【０１０３】
また、本実施の形態３におけるＤＳ再生装置３００は、インターネット１４０と接続するネットワークインターフェース７をさらに備え、制御部５は、インターネット１４０を介して接続されたサーバ１１０と通信を行い、コンテンツ記憶部２に記憶されているコンテンツが最新でない場合は、サーバ１１０から最新のコンテンツをダウンロードする。
【０１０４】
従って、ＤＳ再生装置３００内のコンテンツが古くなった場合、ＤＳ再生装置３００は自動的にサーバ１１０から最新のコンテンツデータをダウンロードするため、運用者が定期的にコンテンツを入れ替える必要がなく利便性が向上する。また、広告視聴者は常に最新のコンテンツを視聴することが可能となる。
【０１０５】
また、本実施の形態３におけるＤＳ再生装置３００はインターネット１４０と接続するネットワークインターフェース７をさらに備え、ＤＳ再生装置３００の制御方法は、（ｆ）制御部５が、インターネット１４０を介して接続されたサーバ１１０に再生履歴記憶部６の内容を送信する工程をさらに備える。
【０１０６】
従って、ＤＳ再生装置３００内に蓄積された再生履歴をサーバ１１０にアップロードすることによって、サーバ側において運用者はより多くのマーケティングデータを活用することが可能となる。
【０１０７】
また、本実施の形態３におけるＤＳ再生装置３００はインターネット１４０と接続するネットワークインターフェース７をさらに備え、ＤＳ再生装置３００の制御方法の工程（ｂ）において、制御部５は、コンテンツ記憶部２に識別子に関連付けられたコンテンツが記憶されていない場合、インターネット１４０を介して接続されたサーバ１１０から識別子に関連付けられたコンテンツをダウンロードして、再生を行うように再生部３を制御する。
【０１０８】
従って、ＤＳ再生装置３００内に存在しないコンテンツをサーバ１１０から取得することによって、新商品であっても運用者側の手間なく即座にコンテンツを表示することが可能となる。
【０１０９】
また、本実施の形態３におけるＤＳ再生装置３００はインターネット１４０と接続するネットワークインターフェース７をさらに備え、ＤＳ再生装置３００の制御方法は、（ｇ）制御部５が、インターネット１４０を介して接続されたサーバ１１０と通信を行い、コンテンツ記憶部２に記憶されているコンテンツが最新でない場合は、サーバ１１０から最新のコンテンツをダウンロードする工程をさらに備える。
【０１１０】
従って、ＤＳ再生装置３００内のコンテンツが古くなった場合、ＤＳ再生装置３００は、自動的にサーバ１１０から最新のコンテンツデータをダウンロードするため、運用者が定期的にコンテンツを入れ替える必要がなく利便性が向上する。また、広告視聴者は常に最新のコンテンツを視聴することが可能となる。
【０１１１】
なお、実施の形態１〜３のＤＳ再生装置１００，２００，３００においては、外部のディスプレイ１０５と接続する構成となっているが、ＤＳ再生装置１００，２００，３００にディスプレイ１０５が一体化された構成でもよい。
【０１１２】
また、実施の形態１〜３においては、読み取り装置１０６がサイネージ対象物に印字されたバーコードを読み取る形式としたが、これに限定されるものではなく、例えば読み取り装置１０６は２次元バーコードを読み取ってもよい。また、読み取り装置１０６は、サイネージ対象物に付加されたＩＣタグ、例えばＲＦＩＤ（Ｒａｄｉｏ  Ｆｒｅｑｕｅｎｃｙ  ＩＤｅｎｔｉｆｉｃａｔｉｏｎ）タグから識別子を読み取ってもよい。また、読み取り装置１０６は、近距離無線通信（ＮＦＣ：Ｎｅａｒ  Ｆｉｅｌｄ  Ｃｏｍｍｕｎｉｃａｔｉｏｎ）を利用して識別子を読み取ってもよい。
【０１１３】
なお、実施の形態１〜３においては、サイネージ対象物を例えば商品であるとして説明を行った。つまり、読み取り装置１０６は商品から識別子（即ち商品コード）を読み取り、ＤＳ再生装置１００，２００，３００は識別子に関連付けられたコンテンツを再生してディスプレイに表示させたが、ＤＳ再生装置１００，２００，３００が読み込む識別子は商品の識別子に限定されない。また、ＤＳ再生装置１００，２００，３００が再生するコンテンツは商品に関するコンテンツに限定されない。つまり、実施の形態１〜３のＤＳ再生装置１００，２００，３００は、サイネージ対象物を識別する識別子を読み込み、それに関連付けられたコンテンツを再生するあらゆる用途において活用することができる。
【０１１４】
なお、本発明は、その発明の範囲内において、各実施の形態を自由に組み合わせたり、各実施の形態を適宜、変形、省略することが可能である。
【符号の説明】
【０１１５】
１００，２００，３００  デジタルサイネージ再生装置、１  識別子入力部、２  コンテンツ記憶部、３  再生部、４  出力部、５  制御部、６  再生履歴記憶部、７  ネットワークインターフェース、８  画面生成部、１０５  ディスプレイ、１０６  読み取り装置、１１０  サーバ、１４０  インターネット。
【図１】
2017188824.tif 000003
【図２】
2017188824.tif 000004
【図３】
2017188824.tif 000005
【図４】
2017188824.tif 000006
【図５】
2017188824.tif 000007
【図６】
2017188824.tif 000008
【図７】
2017188824.tif 000009
【図８】
2017188824.tif 000010
【図９】
2017188824.tif 000011
【図１０】
2017188824.tif 000012
【図１１】
2017188824.tif 000013
【図１２】
2017188824.tif 000014
【図１３】
2017188824.tif 000015
【図１４】
2017188824.tif 000016